【手続補正書】
【提出日】平成20年1月21日(2008.1.21)
【手続補正１】
【補正対象書類名】明細書
【補正対象項目名】発明の名称
【補正方法】変更
【補正の内容】
【発明の名称】記録媒体判別装置及び方法並びに情報記録装置及び方法
【手続補正２】
【補正対象書類名】明細書
【補正対象項目名】特許請求の範囲
【補正方法】変更
【補正の内容】
【特許請求の範囲】
【請求項１】  記録情報の書き込み可能な書込可能記録媒体の種類を判別する記録媒体判別装置であって、当該書込可能記録媒体が、（ｉ）書込可能記録媒体自体を識別するための識別情報を少なくとも含む情報コードが記録された第一の書込可能記録媒体であるか、（ii）前記情報コードが記録されていない第二の書込可能記録媒体であるか、の種類を判別する記録媒体判別装置において、
前記書込可能記録媒体に記録された情報を光学的に検出して出力信号を出力する検出手段と、
前記書込可能記録媒体上の前記情報コードが記録されているべき領域である設定領域上へ前記検出手段を移動させる移動手段と、
前記設定領域上に移動された前記検出手段から出力される出力信号に基づいて、前記書込可能記録媒体上に前記情報コードが記録されているか否かを判定するコード判定手段と、
前記コード判定手段の判定結果に基づいて、前記書込可能記録媒体が前記第一の書込可能記録媒体か、又は前記第二の書込可能記録媒体か判別する種類判別手段と、
を備えることを特徴とする記録媒体判別装置。
【請求項２】  請求項１に記載の記録媒体判別装置において、
前記判定手段は、前記出力信号を二値化して二値化信号を出力する二値化手段を備え、
前記コード判定手段は、前記出力された二値化信号における二値の切り換りタイミングの間隔であるエッジ間隔が、前記情報コードに対応する当該エッジ間隔の範囲として予め設定されている範囲内であるとき、前記書込可能記録媒体上に前記情報コードが記録されていると判定することを特徴とする記録媒体判別装置。
【請求項３】  請求項１に記載の記録媒体判別装置において、
前記判定手段は、
前記出力信号の出力レベルが、予め設定されている基準レベルを跨いで変化するか否かを判定する第１判定手段と、
前記出力信号を二値化して二値化信号を出力する二値化手段と、
前記出力された二値化信号における二値の切り換りタイミングの間隔であるエッジ間隔が、前記記録情報に対応する前記出力信号における前記エッジ間隔が含まれるように予め設定されている識別間隔範囲内の間隔であるか否かを判定する第２判定手段と、
を備え、
前記コード判定手段は、前記第１判定手段における判定結果により前記出力レベルが前記基準レベルを跨いで変化していることが示されており、且つ前記第２判定手段における判定結果により前記情報コードに対応する前記出力信号における前記エッジ間隔が前記識別間隔範囲内の間隔であることが示されていないとき、前記書込可能記録媒体上に前記情報コードが記録されていると判定することを特徴とする記録媒体判別装置。
【請求項４】  請求項３に記載の記録媒体判別装置において、
前記記録情報に対応する前記出力信号における前記エッジ間隔が予め設定されている基準クロック周期の３倍以上１４倍以下の範囲内にあると共に、
前記識別間隔範囲は、前記基準クロック周期の２倍より長く２０倍より短い範囲であることを特徴とする記録媒体判別装置。
【請求項５】  請求項１に記載の記録媒体判別装置において、
前記情報コードを復号する復号手段を更に備え、
前記判定手段における判定の結果、前記書込可能記録媒体上に前記情報コードが記録されていないと判定され、且つ前記復号手段において前記情報コードが復号されたとき、前記書込可能記録媒体上に前記情報コードが記録されていると判定することを特徴とする記録媒体判別装置。
【請求項６】  記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるかを判別する記録媒体判別装置であって、
（ａ）前記記録媒体に記録された情報を光学的に検出して出力信号を出力する検出手段と、
前記書込可能記録媒体上の前記情報コードが記録されているべき領域である設定領域上へ前記検出手段を移動させる移動手段と、
前記設定領域上に移動された前記検出手段から出力される出力信号に基づいて、前記書込可能記録媒体上に前記情報コードが記録されているか否かを判定する判定手段と、
を備えるコード判定装置と、
（ｂ）前記記録情報を検出することにより得られる前記出力信号に基づいて、当該記録媒体が前記読取用記録媒体であるか否かを判定する読取用記録媒体判定手段と、
（ｃ）前記コード判定装置により前記情報コードが記録されていると判定されたときは、（ｉ）当該記録媒体は前記情報コードの記録された前記書込可能記録媒体であると判定し、前記コード判定装置により前記情報コードが記録されていないと判定されたときは、（ii）当該記録媒体は前記情報コードの記録されていない前記書込可能記録媒体であると判別する種類判別手段と、
を備えることを特徴とする記録媒体判別装置。
【請求項７】  請求項６に記載の記録媒体判別装置において、
前記書込可能記録媒体は蛇行情報トラックを備えており、
前記読取用記録媒体判別手段は、前記記録媒体上に蛇行する前記情報トラックが検出されないとき、当該記録媒体が前記読出用記録媒体であると判別することを特徴とする記録媒体判別装置。
【請求項８】  請求項６に記載の記録媒体判別装置において、
前記書込可能記録媒体はＤＶＤ−ＲＷであると共に、前記読出用記録媒体はＤＶＤ−ＲＯＭであることを特徴とする記録媒体判別装置。
【請求項９】  情報記録装置において、
（ａ）記録情報の書き込みが可能である書込可能記録媒体に記録された情報を光学的に検出して出力信号を出力する検出手段と、
前記書込可能記録媒体自体を識別するための識別情報を少なくとも含む情報コードが記録されているべき前記書込可能記録媒体上の領域である設定領域上に前記検出手段を移動させる移動手段と、
前記設定領域上に移動された前記検出手段から出力される出力信号に基づいて、前記書込可能記録媒体上に前記情報コードが記録されているか否かを判定する判定手段と、
を備えるコード判定装置と、
（ｂ）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理手段と、
（ｃ）前記制御処理が施された前記記録情報を前記書込可能記録媒体に記録する記録手段と、
を備えることを特徴とする情報記録装置。
【請求項１０】  情報記録装置において、
（Ｉ）記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるか、を判別する記録媒体判別装置であって、
（ａ）前記記録媒体に記録された情報を光学的に検出して出力信号を出力する検出手段と、
前記書込可能記録媒体上の前記情報コードが記録されているべき領域である設定領域上に前記検出手段を移動させる移動手段と、
前記設定領域上に移動された前記検出手段から出力される出力信号に基づいて、前記書込可能記録媒体上に前記情報コードが記録されているか否かを判定する判定手段と、
を備えるコード判定装置と、
（ｂ）前記記録情報を検出することにより得られる前記出力信号に基づいて、当該記録媒体が前記読取用記録媒体であるか否かを判定する読取用記録媒体判定手段と、
（ｃ）前記コード判定装置により前記情報コードが記録されていると判定されたときは、（ｉ）当該記録媒体は前記情報コードの記録された前記書込可能記録媒体であると判別し、前記コード判定装置により前記情報コードが記録されていないと判定されたときは、（ii）当該記録媒体は前記情報コードの記録されていない前記書込可能記録媒体であると判別する種類判別手段と、
を備える記録媒体判別装置と、
（II）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理手段と、
（III）前記制御処理が施された前記記録情報を前記書込可能記録媒体に記録する記録手段と、
を備えることを特徴とする情報記録装置。
【請求項１１】  記録情報の書き込み可能な書込可能記録媒体の種類を判別する記録媒体判別方法であって、当該書込可能記録媒体が、（ｉ）書込可能記録媒体自体を識別するための識別情報を少なくとも含む情報コードが記録された第一の書込可能記録媒体であるか、（ii）前記情報コードが記録されていない第二の書込可能記録媒体であるか、の種類を判別する記録媒体判別方法において、
前記書込可能記録媒体に記録された情報を光学的に検出して出力信号を出力する検出手段を、前記書込可能記録媒体上の前記情報コードが記録されているべき領域である設定領域上へ移動させる移動工程と、
前記設定領域上に移動された前記検出手段から出力される出力信号に基づいて、前記書込可能記録媒体上に前記情報コードが記録されているか否かを判定するコード判定工程と、
前記コード判定手段の判定結果に基づいて、前記書込可能記録媒体が前記第一の書込可能記録媒体か、又は前記第二の書込可能記録媒体か判別する種類判別工程と、
を備えることを特徴とする記録媒体判別方法。
【請求項１２】  請求項１１に記載の記録媒体判別方法において、
前記判定工程は、前記出力信号を二値化して二値化信号を出力する二値化工程を備え、
前記コード判定工程は、前記出力された二値化信号における二値の切り換りタイミングの間隔であるエッジ間隔が、前記情報コードに対応する当該エッジ間隔の範囲として予め設定されている範囲内であるとき、前記書込可能記録媒体上に前記情報コードが記録されていると判定することを特徴とする記録媒体判別方法。
【請求項１３】  請求項１１に記載の記録媒体判別方法において、
前記判定工程は、
前記出力信号の出力レベルが、予め設定されている基準レベルを跨いで変化するか否かを判定する第１判定工程と、
前記出力信号を二値化して二値化信号を出力する二値化工程と、
前記出力された二値化信号における二値の切り換りタイミングの間隔であるエッジ間隔が、前記記録情報に対応する前記出力信号における前記エッジ間隔が含まれるように予め設定されている識別間隔範囲内の間隔であるか否かを判定する第２判定工程と、
を備え、
前記コード判定工程は、前記第１判定工程における判定結果により前記出力レベルが前記基準レベルを跨いで変化していることが示されており、且つ前記第２判定工程における判定結果により前記情報コードに対応する前記出力信号における前記エッジ間隔が前記識別間隔範囲内の間隔であることが示されていないとき、前記書込可能記録媒体上に前記情報コードが記録されていると判定することを特徴とする記録媒体判別方法。
【請求項１４】  請求項１３に記載の記録媒体判別方法において、
前記記録情報に対応する前記出力信号における前記エッジ間隔が予め設定されている基準クロック周期の３倍以上１４倍以下の範囲内にあると共に、
前記識別間隔範囲は、前記基準クロック周期の２倍より長く２０倍より短い範囲であることを特徴とする記録媒体判別方法。
【請求項１５】  請求項１１に記載の記録媒体判別方法において、
前記情報コードを復号する復号工程を更に備え、
前記判定工程における判定の結果、前記書込可能記録媒体上に前記情報コードが記録されていないと判定され、且つ前記復号工程において前記情報コードが復号されたとき、前記書込可能記録媒体上に前記情報コードが記録されていると判定することを特徴とする記録媒体判別方法。
【請求項１６】  記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるかを判別する記録媒体判別方法であって、
（ａ）前記記録媒体に記録された情報を光学的に検出して出力信号を出力する検出手段を、前記書込可能記録媒体上の前記情報コードが記録されているべき領域である設定領域上へ移動させる移動工程と、
前記設定領域上に移動された前記検出手段から出力される出力信号に基づいて、前記書込可能記録媒体上に前記情報コードが記録されているか否かを判定する判定工程と、
を備えるコード判定方法と、
（ｂ）前記記録情報を検出することにより得られる前記出力信号に基づいて、当該記録媒体が前記読取用記録媒体であるか否かを判定する読取用記録媒体判定工程と、
（ｃ）前記コード判定方法により前記情報コードが記録されていると判定されたときは、（ｉ）当該記録媒体は前記情報コードの記録された前記書込可能記録媒体であると判定し、前記コード判定方法により前記情報コードが記録されていないと判定されたときは、（ii）当該記録媒体は前記情報コードの記録されていない前記書込可能記録媒体であると判別する種類判別工程と、
を備えることを特徴とする記録媒体判別方法。
【請求項１７】  請求項１６に記載の記録媒体判別方法において、
前記書込可能記録媒体は蛇行情報トラックを備えており、
前記読取用記録媒体判別工程は、前記記録媒体上に蛇行する前記情報トラックが検出されないとき、当該記録媒体が前記読出用記録媒体であると判別することを特徴とする記録媒体判別方法。
【請求項１８】  請求項１６に記載の記録媒体判別方法において、
前記書込可能記録媒体はＤＶＤ−ＲＷであると共に、前記読出用記録媒体はＤＶＤ−ＲＯＭであることを特徴とする記録媒体判別方法。
【請求項１９】  情報記録方法において、
（ａ）記録情報の書き込みが可能である書込可能記録媒体に記録された情報を光学的に検出して出力信号を出力する検出手段を、前記書込可能記録媒体自体を識別するための識別情報を少なくとも含む情報コードが記録されているべき前記書込可能記録媒体上の領域である設定領域上に移動させる移動工程と、
前記設定領域上に移動された前記検出手段から出力される出力信号に基づいて、前記書込可能記録媒体上に前記情報コードが記録されているか否かを判定する判定工程と、
を備えるコード判定方法と、
（ｂ）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理工程と、
（ｃ）前記制御処理が施された前記記録情報を前記書込可能記録媒体に記録する記録工程と、
を備えることを特徴とする情報記録方法。
【請求項２０】  情報記録方法において、
（Ｉ）記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるか、を判別する記録媒体判別方法であって、
（ａ）前記記録媒体に記録された情報を光学的に検出して出力信号を出力する検出手段を、前記書込可能記録媒体上の前記情報コードが記録されているべき領域である設定領域上に移動させる移動工程と、
前記設定領域上に移動された前記検出手段から出力される出力信号に基づいて、前記書込可能記録媒体上に前記情報コードが記録されているか否かを判定する判定工程と、
を備えるコード判定方法と、
（ｂ）前記記録情報を検出することにより得られる前記出力信号に基づいて、当該記録媒体が前記読取用記録媒体であるか否かを判定する読取用記録媒体判定工程と、
（ｃ）前記コード判定方法により前記情報コードが記録されていると判定されたときは、（ｉ）当該記録媒体は前記情報コードの記録された前記書込可能記録媒体であると判別し、前記コード判定方法により前記情報コードが記録されていないと判定されたときは、（ii）当該記録媒体は前記情報コードの記録されていない前記書込可能記録媒体であると判別する種類判別工程と、
を備える記録媒体判別方法と、
（II）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理工程と、
（III）前記制御処理が施された前記記録情報を前記書込可能記録媒体に記録する記録工程と、
を備えることを特徴とする情報記録方法。
【手続補正３】
【補正対象書類名】明細書
【補正対象項目名】００１３
【補正方法】変更
【補正の内容】
【００１３】
【課題を解決するための手段】
上記の課題を解決するために、請求項１に記載の発明は、記録情報の書き込み可能な書込可能記録媒体の種類を判別する記録媒体判別装置であって、当該書込可能記録媒体が、（ｉ）書込可能記録媒体自体を識別するための識別情報を少なくとも含む情報コードが記録された第一の書込可能記録媒体であるか、（ii）前記情報コードが記録されていない第二の書込可能記録媒体であるか、の種類を判別する記録媒体判別装置において、前記書込可能記録媒体に記録された情報を光学的に検出して出力信号を出力する検出手段と、前記書込可能記録媒体上の前記情報コードが記録されているべき領域である設定領域上へ前記検出手段を移動させる移動手段と、前記設定領域上に移動された前記検出手段から出力される出力信号に基づいて、前記書込可能記録媒体上に前記情報コードが記録されているか否かを判定するコード判定手段と、前記コード判定手段の判定結果に基づいて、前記書込可能記録媒体が前記第一の書込可能記録媒体か、又は前記第二の書込可能記録媒体か判別する種類判別手段と、を備える。
【手続補正４】
【補正対象書類名】明細書
【補正対象項目名】００１４
【補正方法】変更
【補正の内容】
【００１４】
上記の課題を解決するために、請求項６に記載の発明は、記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるかを判別する記録媒体判別装置であって、（ａ）前記記録媒体に記録された情報を光学的に検出して出力信号を出力する検出手段と、前記書込可能記録媒体上の前記情報コードが記録されているべき領域である設定領域上へ前記検出手段を移動させる移動手段と、前記設定領域上に移動された前記検出手段から出力される出力信号に基づいて、前記書込可能記録媒体上に前記情報コードが記録されているか否かを判定する判定手段と、を備えるコード判定装置と、（ｂ）前記記録情報を検出することにより得られる前記出力信号に基づいて、当該記録媒体が前記読取用記録媒体であるか否かを判定する読取用記録媒体判定手段と、（ｃ）前記コード判定装置により前記情報コードが記録されていると判定されたときは、（ｉ）当該記録媒体は前記情報コードの記録された前記書込可能記録媒体であると判定し、前記コード判定装置により前記情報コードが記録されていないと判定されたときは、（ii）当該記録媒体は前記情報コードの記録されていない前記書込可能記録媒体であると判別する種類判別手段と、を備える。
【手続補正５】
【補正対象書類名】明細書
【補正対象項目名】００１５
【補正方法】変更
【補正の内容】
【００１５】
上記の課題を解決するために、請求項９に記載の発明は、情報記録装置において、（ａ）記録情報の書き込みが可能である書込可能記録媒体に記録された情報を光学的に検出して出力信号を出力する検出手段と、前記書込可能記録媒体自体を識別するための識別情報を少なくとも含む情報コードが記録されているべき前記書込可能記録媒体上の領域である設定領域上に前記検出手段を移動させる移動手段と、前記設定領域上に移動された前記検出手段から出力される出力信号に基づいて、前記書込可能記録媒体上に前記情報コードが記録されているか否かを判定する判定手段と、を備えるコード判定装置と、（ｂ）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理手段と、（ｃ）前記制御処理が施された前記記録情報を前記書込可能記録媒体に記録する記録手段と、を備える。
【手続補正６】
【補正対象書類名】明細書
【補正対象項目名】００１６
【補正方法】変更
【補正の内容】
【００１６】
上記の課題を解決するために、請求項１０に記載の発明は、情報記録装置において、（Ｉ）記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるか、を判別する記録媒体判別装置であって、（ａ）前記記録媒体に記録された情報を光学的に検出して出力信号を出力する検出手段と、前記書込可能記録媒体上の前記情報コードが記録されているべき領域である設定領域上に前記検出手段を移動させる移動手段と、前記設定領域上に移動された前記検出手段から出力される出力信号に基づいて、前記書込可能記録媒体上に前記情報コードが記録されているか否かを判定する判定手段と、を備えるコード判定装置と、（ｂ）前記記録情報を検出することにより得られる前記出力信号に基づいて、当該記録媒体が前記読取用記録媒体であるか否かを判定する読取用記録媒体判定手段と、（ｃ）前記コード判定装置により前記情報コードが記録されていると判定されたときは、（ｉ）当該記録媒体は前記情報コードの記録された前記書込可能記録媒体であると判別し、前記コード判定装置により前記情報コードが記録されていないと判定されたときは、（ii）当該記録媒体は前記情報コードの記録されていない前記書込可能記録媒体であると判別する種類判別手段と、を備える記録媒体判別装置と、（II）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理手段と、（III）前記制御処理が施された前記記録情報を前記書込可能記録媒体に記録する記録手段と、を備える。
【手続補正７】
【補正対象書類名】明細書
【補正対象項目名】００１７
【補正方法】変更
【補正の内容】
【００１７】
上記の課題を解決するために、請求項１１に記載の発明は、記録情報の書き込み可能な書込可能記録媒体の種類を判別する記録媒体判別方法であって、当該書込可能記録媒体が、（ｉ）書込可能記録媒体自体を識別するための識別情報を少なくとも含む情報コードが記録された第一の書込可能記録媒体であるか、（ii）前記情報コードが記録されていない第二の書込可能記録媒体であるか、の種類を判別する記録媒体判別方法において、前記書込可能記録媒体に記録された情報を光学的に検出して出力信号を出力する検出手段を、前記書込可能記録媒体上の前記情報コードが記録されているべき領域である設定領域上へ移動させる移動工程と、前記設定領域上に移動された前記検出手段から出力される出力信号に基づいて、前記書込可能記録媒体上に前記情報コードが記録されているか否かを判定するコード判定工程と、前記コード判定手段の判定結果に基づいて、前記書込可能記録媒体が前記第一の書込可能記録媒体か、又は前記第二の書込可能記録媒体か判別する種類判別工程と、を備える。
【手続補正８】
【補正対象書類名】明細書
【補正対象項目名】００１８
【補正方法】変更
【補正の内容】
【００１８】
上記の課題を解決するために、請求項１６に記載の発明は、記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるかを判別する記録媒体判別方法であって、（ａ）前記記録媒体に記録された情報を光学的に検出して出力信号を出力する検出手段を、前記書込可能記録媒体上の前記情報コードが記録されているべき領域である設定領域上へ移動させる移動工程と、前記設定領域上に移動された前記検出手段から出力される出力信号に基づいて、前記書込可能記録媒体上に前記情報コードが記録されているか否かを判定する判定工程と、を備えるコード判定方法と、（ｂ）前記記録情報を検出することにより得られる前記出力信号に基づいて、当該記録媒体が前記読取用記録媒体であるか否かを判定する読取用記録媒体判定工程と、（ｃ）前記コード判定方法により前記情報コードが記録されていると判定されたときは、（ｉ）当該記録媒体は前記情報コードの記録された前記書込可能記録媒体であると判定し、前記コード判定方法により前記情報コードが記録されていないと判定されたときは、（ii）当該記録媒体は前記情報コードの記録されていない前記書込可能記録媒体であると判別する種類判別工程と、を備える。
【手続補正９】
【補正対象書類名】明細書
【補正対象項目名】００１９
【補正方法】変更
【補正の内容】
【００１９】
上記の課題を解決するために、請求項１９に記載の発明は、情報記録方法において、（ａ）記録情報の書き込みが可能である書込可能記録媒体に記録された情報を光学的に検出して出力信号を出力する検出手段を、前記書込可能記録媒体自体を識別するための識別情報を少なくとも含む情報コードが記録されているべき前記書込可能記録媒体上の領域である設定領域上に移動させる移動工程と、前記設定領域上に移動された前記検出手段から出力される出力信号に基づいて、前記書込可能記録媒体上に前記情報コードが記録されているか否かを判定する判定工程と、を備えるコード判定方法と、（ｂ）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理工程と、（ｃ）前記制御処理が施された前記記録情報を前記書込可能記録媒体に記録する記録工程と、を備える。
【手続補正１０】
【補正対象書類名】明細書
【補正対象項目名】００２０
【補正方法】変更
【補正の内容】
【００２０】
上記の課題を解決するために、請求項２０に記載の発明は、情報記録方法において、（Ｉ）記録媒体が、（ｉ）書込可能記録媒体自体を識別するための識別情報を少なくとも含む情報コードの記録された書込可能記録媒体であるか、（ii）前記情報コードが記録されていない書込可能記録媒体であるか、又は（iii）記録情報が読取専用方式に記録された読取用記録媒体であるか、を判別する記録媒体判別方法であって、（ａ）前記記録媒体に記録された情報を光学的に検出して出力信号を出力する検出手段を、前記書込可能記録媒体上の前記情報コードが記録されているべき領域である設定領域上に移動させる移動工程と、前記設定領域上に移動された前記検出手段から出力される出力信号に基づいて、前記書込可能記録媒体上に前記情報コードが記録されているか否かを判定する判定工程と、を備えるコード判定方法と、（ｂ）前記記録情報を検出することにより得られる前記出力信号に基づいて、当該記録媒体が前記読取用記録媒体であるか否かを判定する読取用記録媒体判定工程と、（ｃ）前記コード判定方法により前記情報コードが記録されていると判定されたときは、（ｉ）当該記録媒体は前記情報コードの記録された前記書込可能記録媒体であると判別し、前記コード判定方法により前記情報コードが記録されていないと判定されたときは、（ii）当該記録媒体は前記情報コードの記録されていない前記書込可能記録媒体であると判別する種類判別工程と、を備える記録媒体判別方法と、（II）前記書込可能記録媒体上に前記情報コードが記録されているとき、前記検出された情報コードを用いて、当該書込可能記録媒体に記録すべき前記記録情報に対して、記録後の当該書込可能記録媒体からの当該記録情報の再生動作を制御するための制御処理を施す処理工程と、（III）前記制御処理が施された前記記録情報を前記書込可能記録媒体に記録する記録工程と、を備える。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】
【手続補正４３】
【補正対象書類名】明細書
【補正対象項目名】０１６６
【補正方法】変更
【補正の内容】
【０１６６】
以上説明したように、第１実施形態の情報記録再生装置Ｓにおける情報記録再生処理によれば、初期化エリア２又はＢＣＡ４に移動させたときにピックアップ１１から出力されるＲＦ信号Ｓrfに基づいて情報コードが光ディスクＤＫに記録されているか否かを判定するので、当該情報コードが記録されているか否かを判定した結果をそれ以後の処理に反映することができる。
従って、例えば、ＤＶＤ−ＲＷ１毎に異なる識別情報を用いた再生制御処理を施した後に記録情報をＤＶＤ−ＲＷ１に記録する等の処理を確実に行うことができる。
【手続補正４４】
【補正対象書類名】明細書
【補正対象項目名】０１９２
【補正方法】削除
【補正の内容】
【手続補正４５】
【補正対象書類名】明細書
【補正対象項目名】０１９３
【補正方法】削除
【補正の内容】
【手続補正４６】
【補正対象書類名】明細書
【補正対象項目名】０１９４
【補正方法】削除
【補正の内容】
【手続補正４７】
【補正対象書類名】明細書
【補正対象項目名】０１９５
【補正方法】削除
【補正の内容】
【手続補正４８】
【補正対象書類名】明細書
【補正対象項目名】０１９６
【補正方法】削除
【補正の内容】
【手続補正４９】
【補正対象書類名】明細書
【補正対象項目名】０１９７
【補正方法】削除
【補正の内容】
【手続補正５０】
【補正対象書類名】明細書
【補正対象項目名】０１９８
【補正方法】削除
【補正の内容】
【手続補正５１】
【補正対象書類名】明細書
【補正対象項目名】０１９９
【補正方法】削除
【補正の内容】
【手続補正５２】
【補正対象書類名】明細書
【補正対象項目名】０２００
【補正方法】削除
【補正の内容】
【手続補正５３】
【補正対象書類名】明細書
【補正対象項目名】０２０１
【補正方法】削除
【補正の内容】
【手続補正５４】
【補正対象書類名】明細書
【補正対象項目名】０２０２
【補正方法】削除
【補正の内容】
【手続補正５５】
【補正対象書類名】明細書
【補正対象項目名】０２０３
【補正方法】削除
【補正の内容】
【手続補正５６】
【補正対象書類名】明細書
【補正対象項目名】０２０４
【補正方法】削除
【補正の内容】
【手続補正５７】
【補正対象書類名】明細書
【補正対象項目名】０２０５
【補正方法】削除
【補正の内容】
【手続補正５８】
【補正対象書類名】明細書
【補正対象項目名】０２０６
【補正方法】削除
【補正の内容】
【手続補正５９】
【補正対象書類名】明細書
【補正対象項目名】０２０７
【補正方法】削除
【補正の内容】
【手続補正６０】
【補正対象書類名】明細書
【補正対象項目名】０２０８
【補正方法】削除
【補正の内容】
【手続補正６１】
【補正対象書類名】明細書
【補正対象項目名】０２０９
【補正方法】削除
【補正の内容】
【手続補正６２】
【補正対象書類名】明細書
【補正対象項目名】０２１０
【補正方法】削除
【補正の内容】
【手続補正６３】
【補正対象書類名】明細書
【補正対象項目名】０２１１
【補正方法】削除
【補正の内容】
【手続補正６４】
【補正対象書類名】明細書
【補正対象項目名】０２１２
【補正方法】削除
【補正の内容】
【手続補正６５】
【補正対象書類名】明細書
【補正対象項目名】０２１３
【補正方法】削除
【補正の内容】
【手続補正６６】
【補正対象書類名】明細書
【補正対象項目名】０２１４
【補正方法】削除
【補正の内容】
【手続補正６７】
【補正対象書類名】明細書
【補正対象項目名】０２１５
【補正方法】削除
【補正の内容】